(57)【特許請求の範囲】
【請求項１】
貼付票と配達票と領収票と入金票とをそれぞれ切り取り部を境に連接してなる配送伝票であって、前記貼付票は、表面側に配送情報記入部を設けるとともに、裏面側に貼着部を設け、前記配達票と前記領収票と前記入金票は、各表面側に配送情報記入部と金額記入部を設け、これら各金額記入部を被覆隠蔽するための隠蔽ラベルを配送伝票の裏面側に剥離可能に設けたことを特徴とする配送伝票。
【請求項２】
貼付票と配達票を兼ねる受領票と領収票と入金票とをそれぞれ切り取り部を境に連接してなる配送伝票であって、前記貼付票の表面側には配送情報記入部を設け、前記受領票と前記領収票と前記入金票の各表面側にはそれぞれ配送情報記入部と金額記入部を設け、前記貼付票と前記受領票と前記領収票と前記入金票の裏面側には粘着剤を塗布するとともに、この粘着剤を剥離紙で被覆し、この剥離紙の表出面側に、前記各金額記入部を被覆隠蔽するための隠蔽ラベルを剥離可能に設けたことを特徴とする配送伝票。
【発明の詳細な説明】
【０００１】
【発明の属する技術分野】
本発明は、配送情報を記入する貼付票と、同じく配送情報を記入するとともに秘匿すべき情報である金額情報を記入する配達票（受領票を兼ねる場合もある）と領収票と入金票とからなる配送伝票に関し、特に、配達票と領収票と入金票に記入した金額情報を外部から視認できない状態で配送品に貼付して配送作業ができる配送伝票に関する。
【０００２】
【従来の技術】
従来においては、配送情報を記入する貼付票と、同じく配送情報を記入するとともに秘匿すべき情報である金額情報を記入する配達票と領収票と入金票とからなる配送伝票は、配送情報や金額情報を記入したうえ、配送品に各情報が露出した状態で貼付して、配送作業を行っている。
【０００３】
【発明が解決しようとする課題】
このため、従来においては、配送伝票に記入した金額情報を視認可能なので、秘匿すべき情報を第三者に知られてしまい、プライバシーが保護できないとともに、金額情報に基づいて配送品の価値を判断でき、高価な配送品は盗難にあう危険性があるという不都合があった。
【０００４】
本発明は、このような従来の不都合を解消して、プライバシーを保護するとともに、配送品の価値を配送中の配送伝票からは判断することができない、配送伝票を提供することを目的とする。
【０００５】
【課題を解決するための手段】
この目的を達成するために、本願発明の請求項１に記載した配送伝票は、貼付票と配達票と領収票と入金票とをそれぞれ切り取り部を境に連接してなる配送伝票であって、前記貼付票は、表面側に配送情報記入部を設けるとともに、裏面側に貼着部を設け、前記配達票と前記領収票と前記入金票は、各表面側に配送情報記入部と金額記入部を設け、これら各金額記入部を被覆隠蔽するための隠蔽ラベルを配送伝票の裏面側に剥離可能に設けたものである。
【０００６】
また、同じく上記目的を達成するために、本願発明の請求項２に記載した配送伝票は、貼付票と配達票を兼ねる受領票（受領票を兼ねる配達票でもよい）と領収票と入金票とをそれぞれ切り取り部を境に連接してなる配送伝票であって、前記貼付票の表面側には配送情報記入部を設け、前記受領票と前記領収票と前記入金票の各表面側にはそれぞれ配送情報記入部と金額記入部を設け、前記貼付票と前記受領票と前記領収票と前記入金票の裏面側には粘着剤を塗布するとともに、この粘着剤を剥離紙で被覆し、この剥離紙の表出面側に、前記各金額記入部を被覆隠蔽するための隠蔽ラベルを剥離可能に設けたものである。
【０００７】
【発明の実施の形態】
以下、本発明の好適な実施の形態を添付図面に基づいて詳細に説明する。ここにおいて、図１は必要事項を印字した状態の配送伝票を示す平面図、図２はその裏面側を示す平面図、図３は図１のＡ−Ａ線断面図、図４は金額記入部に隠蔽ラベルを接着して代金情報を隠蔽した状態の配送伝票を示す平面図、図５は配送品の容器に代金情報を隠蔽した状態の配送伝票を貼付した状態を示す断面図、図６は同状態の配送伝票から配達票を兼ねる受領票と領収票と入金票を剥離した状態を示す断面図である。
【０００８】
図１に示すように、配送伝票１は、配送情報記入部３を有する貼付票２と、配送情報記入部５と受領印捺印部６と金額記入部７を有する配達票を兼ねる受領票４と、配送情報記入部９と領収印捺印部１０と金額記入部１１を有する領収票８と、配送情報記入部１３と入金確認印捺印部１４と金額記入部１５を有する入金票１２とを、それぞれ直交して伸びるスリット１６，１７を介して連接している。
【０００９】
なお、配送情報記入部３には追って、届け先、発送元、配送品名からなる配送情報を印字する一方、各配送情報記入部５，９，１３には追って、届け先及び発送元からなる配送情報を印字するもので、当初は空欄状態にある。また、各金額記入部７，１１，１５には、配送品と引換に受け取る商品代金を追って印字するもので、同じく当初は空欄状態にある。
【００１０】
貼付票２と受領票４と領収票８と入金票１２は同一大であり、また、前記受領票４と前記領収票８と前記入金票１０の表面側には、それぞれの左隅部に向けて矢印と「ここからはがして下さい」という文からなる剥離開始端指示表示１８，１９，２０を設けている。
【００１１】
図３に示すように、貼付票２、受領票４、領収票８、入金票１２の各裏面には、接着力が弱く、接着後に剥離可能な接着剤を塗布してなる再剥離型接着層２１を設け、この再剥離型接着層２１を介して貼着シート２２を剥離可能に接着している。さらに、貼着シート２２の裏面には、接着力の強い通常の粘着剤を塗布してなる接着層２３を設けるとともに、剥離紙２４で被覆している（図２参照）。なお、受領票４、領収票８、入金票１２に対応する前記貼着シート２２の表面側には、前記各票４，８，１２の剥離動作をより容易にするために、ベタ印刷や地紋印刷による印刷層２５を設けている。
【００１２】
図２及び図３に示すように、剥離紙２４の表出面側には、スリット２６，２７で区画形成した隠蔽ラベル２８，２９，３０の各粘着剤３１塗布面を被覆する剥離紙３２を、一端側に沿って設けた粘着剤３３によって剥離可能に接着している。前記粘着剤３１は、接着後に剥離可能な接着力の弱い、再剥離型の粘着剤である。また、各隠蔽ラベル２８，２９，３０は、各金額記入部７，１１，１５を完全に被覆するのに十分な大きさを有している。
【００１３】
そして、図１に示すように、貼付票２の配送情報記入部３には、配送品の届け先の住所、氏名、電話番号と、配送品の発送元の住所、名称、電話番号と、配送品名とからなる配送情報３４を印字し、前記配送情報記入部３の下には伝票番号を、前記配送情報記入部３の上には発送年月日を印字する一方、この発送年月日と並んで「貼付票」という表題をあらかじめ印刷してある。
【００１４】
同じく図１に示すように、配達票を兼ねる受領票４の配送情報記入部５には、届け先の住所、氏名、電話番号と、配送品の発送元の住所、名称、電話番号とからなる配送情報３５を印字する。また、金額記入部７には、配送品の代金である代金情報３６を記入する。さらに、前記受領票４の配送情報記入部５の下には伝票番号を、前記配送情報記入部５の上には発送年月日を印字する一方、この発送年月日と並んで「受領票」という表題をあらかじめ印刷してある。
【００１５】
同じく図１に示すように、領収票８の配送情報記入部９には、届け先の住所、氏名、電話番号と、配送品の発送元の住所、名称、電話番号とからなる配送情報３７を印字する。また、金額記入部１１には、配送品の代金である代金情報３８を記入する。さらに、前記領収票８の配送情報記入部９の下には伝票番号を、前記配送情報記入部９の上には発送年月日を印字する一方、この発送年月日と並んで「領収票」という表題をあらかじめ印刷している。
【００１６】
また同じく図１に示すように、入金票１２の配送情報記入部１３には、届け先の住所、氏名、電話番号と、配送品の発送元の住所、名称、電話番号とからなる配送情報３９を印字する。また、金額記入部１５には、配送品の代金である代金情報４０を記入する。さらに、前記入金票１２の配送情報記入部１３の下には伝票番号を、前記配送情報記入部１３の上には発送年月日を印字する一方、この発送年月日と並んで「入金票」という表題をあらかじめ印刷している。
【００１７】
上述した印字は、印字データをあらかじめ入力してあるコンピュータ（図示せず）に連動する適宜なプリンタ（図示せず）で行う。なお、配送伝票１は、図示の単片状態のほか、天地方向に切り用ミシン目を介して多数連接する連続状態にあってもよい。
【００１８】
そして、剥離紙３２を剥離紙２４から剥離したうえ、各隠蔽ラベル２８，２９，３０を剥離紙３２から剥離して、露出した粘着剤３１で、図４に示すように、各金額記入部７，１１，１５を被覆するように接着する。これにより、受領票４、領収票８、入金票１２の各代金情報３６，３８，４０は隠蔽され、外部から視認不能となる。ここで、図５に示すように、貼着シート２２から剥離紙２４を剥離して粘着剤２３を露出し、この粘着剤２３で、配送品（図示せず）の包装容器４１の適所に貼付し、配送作業を行う。
【００１９】
配達店から各届け先に配送品を配送する際には、少なくとも配達票を兼ねる受領票４を貼着シート２２から剥離し、場合によっては、領収票８及び入金票１２も貼着シート２２から剥離し（図６参照）、配送作業員が配送情報３５に基づいて配送作業を行う（図４参照）。
【００２０】
届け先においては、各隠蔽ラベル２８，２９，３０を剥離して代金情報３６，３８，４０を確認し、配送品の代金を受領する一方、剥離した受領票４の受領印捺印部６に受領印の捺印を受け、未剥離状態であれば、領収票８及び入金票１２も貼着シート２２から剥離して、領収票８の領収印捺印部１０と入金票１２の入金確認印捺印部１４に配送作業員が捺印した後、前記受領票４と前記入金票１２は配達店に持ち帰る一方、前記領収票８は配送品とともに届け先に手渡す。
【００２１】
なお、本発明は、上述した各実施形態に限定されるものではなく、例えば、各票２，４，８，１２は、スリット１６，１７ではなく切り用ミシン目を介して連接してもよい。また、各票２，４，８，１２の位置関係をどのように設定してもよい。またさらに、貼着部は貼付票２の裏面にのみ設ければよく、他の票４，８，１２の裏面には設けなくてもよい。さらに、貼着シート２２を設けずに、貼付票２の裏面に直接、接着層２３を設けて剥離紙２４で被覆する一方、受領票４、領収票８、入金票１２の裏面には何も設けなくてもよい。
【００２２】
【発明の効果】
以上のように、本発明の請求項１における配送伝票によれば、配送伝票に記入した代金情報を届け先に着くまでの配送作業中に視認できないので、プライバシーを保護できるとともに、配送品価格に基づいて配送品の価値を判断することができず、高価な配送品が盗難にあう危険性を避けることができるほか、隠蔽ラベルが裏面側にあるので、貼付票、配達票、領収票、入金票の表面側に対する印字動作の邪魔になったり、情報が隠れて見えなくなることがないほか、余分なスペースを確保する必要がなくコンパクトな配送伝票を得られるという効果を奏する。
【００２３】
また、本発明の請求項２における配送伝票によれば、配送伝票に記入した代金情報を届け先に着くまでの配送作業中に視認できないので、プライバシーを保護できるとともに、配送品価格に基づいて配送品の価値を判断することができず、高価な配送品が盗難にあう危険性を避けることができるほか、隠蔽ラベルが裏面側にあるので、貼付票、配達票を兼ねる受領票、領収票、入金票の表面側に対する印字動作の邪魔になったり、情報が隠れて見えなくなることがないほか、余分なスペースを確保する必要がなくコンパクトな配送伝票を得られるという効果を奏する。
【図面の簡単な説明】
【図１】  必要事項を印字した状態の配送伝票の表面側を示す平面図。
【図２】  同じく裏面側を示す平面図。
【図３】  図１のＡ−Ａ線断面図。
【図４】  各金額記入部を隠蔽ラベルで被覆した状態の配送伝票を示す平面図。
【図５】  配送品の容器に同状態の配送伝票を貼付した状態を示す断面図。
【図６】  配送品の容器に貼付した同状態の配送伝票から受領票を剥離した状態を示す断面図。
【符号の説明】
１      配送伝票
２      貼付票
３，５，９，１３      配送情報記入部
４      受領票
７，１１，１５      金額記入部
８      領収票
１２      入金票
１６，１７      スリット
２１      再剥離型接着層
２２      貼着シート
２３      接着層
２４      剥離紙
２６，２７      スリット
２８，２９，３０      隠蔽ラベル
３１，３３      粘着剤
３２      剥離紙
３４，３５，３７，３９      配送情報
３６，３８，４０      代金情報
４１      包装容器
【図１】
0004171146.tif 000002
【図２】
0004171146.tif 000003
【図３】
0004171146.tif 000004
【図４】
0004171146.tif 000005
【図５】
0004171146.tif 000006
【図６】
0004171146.tif 000007